(57)【要約】【課題】通話装置で使用するアドレス帳を選択することが可能な電子機器、通信方法を提供する。【解決手段】実施形態によれば、電子機器は、第１の記憶部を有する表示装置と、前記第１の記憶部の容量よりも少ない容量である第２の記憶部を備える通話装置とを有する。表示装置は、操作内容を表示する表示部と、他の装置と通信を行うための第１の通信部とを有し、通話装置は、音声を介して通信を行う通話部と、他の装置と通信を行うための第２の通信部とを有する。第１の通信部は、第１の記憶部に格納されているデータの少なくとも一部を第２の記憶部へ転送する。【選択図】  図１
2012156815.tif 000002
【特許請求の範囲】
【請求項１】
第１の記憶部を有する表示装置と、前記第１の記憶部の容量よりも少ない容量である第２の記憶部を備える通話装置とを有する電子機器であって、
前記表示装置は、操作内容を表示する表示部と、他の装置と通信を行うための第１の通信部とを有し、
前記通話装置は、音声を介して通信を行う通話部と、他の装置と通信を行うための第２の通信部とを有し、
前記第１の通信部は、前記第１の記憶部に格納されているデータの少なくとも一部を前記第２の記憶部へ転送する電子機器。
【請求項２】
前記表示装置及び前記通話装置と通信可能な通信装置を更に備え、
前記第１の通信部は、前記第１の記憶部に格納されているデータの少なくとも一部を前記通信装置に転送し、
前記通信装置は、前記第１の通信部から転送された前記データを前記第２の通信部へ転送する請求項１に記載の電子機器。
【請求項３】
前記第１の記憶部は、複数のグループに分類したデータを格納し、
前記第１の通信部は、前記複数のグループの内で選択されたグループに属するデータを転送する請求項１に記載の電子機器。
【請求項４】
前記第１の通信部は、前記第１の記憶部の容量よりも小さい容量である記憶部を有する複数の他の通話端末と通信可能であり、前記第１の記憶部に格納されているデータの少なくとも一部を、前記複数の他の通話端末の内から選択された通話端末へ転送する請求項１に記載の電子機器。
【請求項５】
第１の記憶部を有する表示装置と、前記第１の記憶部の容量よりも少ない容量である第２の記憶部を備える通話装置とを有する電子機器の通信方法であって、
前記第１の記憶部に格納されているデータの少なくとも一部を前記第２の記憶部へ転送する通信方法。
【発明の詳細な説明】
【技術分野】
【０００１】
本発明の実施形態は、電子機器、通信方法に関する。
【背景技術】
【０００２】
複数のシステム間でデータの同期をとることが行われている。例えば、システムを同期する際に一方のシステムでは必要のないデータの同期は行わないことを効率よく行うことが可能な情報処理システムが開示されている（特許文献１参照）。
【先行技術文献】
【特許文献】
【０００３】
【特許文献１】特開2004-178178号公報
【発明の概要】
【発明が解決しようとする課題】
【０００４】
複数の装置を有し、各装置が通信可能に構成される電子機器が登場している。例えば、家庭用の電話機として、指で操作可能なタッチパッドを備える表示装置と、音声通話を行うための通話装置と、表示装置と通話装置とを充電するクレードルとを有するものが登場している。
【０００５】
通常、表示装置においては、通話する相手のリスト（アドレス帳ともいう）を格納し、通話相手の属性情報の編集等を行うことができる。通話装置においても、この表示装置において編集されたアドレス帳を使用して、簡便に通話相手を選択したいという要求がある。
【０００６】
しかしながら、通常、小型に構成される通話装置の記憶装置は、表示装置に設けられる記憶装置よりも容量が小さいため、表示装置で編集され記憶されているアドレス帳と同じデータ量を記憶することは難しい。従って、通話装置で使用するアドレス帳を表示装置に格納されているアドレス帳の中から選択して記憶することが考えられる。
【０００７】
本発明の目的は、通話装置で使用するアドレス帳を選択することが可能な電子機器、通信方法を提供することである。
【課題を解決するための手段】
【０００８】
実施形態によれば、電子機器は、第１の記憶部を有する表示装置と、前記第１の記憶部の容量よりも少ない容量である第２の記憶部を備える通話装置とを有する電子機器であって、前記表示装置は、操作内容を表示する表示部と、他の装置と通信を行うための第１の通信部とを有し、前記通話装置は、音声を介して通信を行う通話部と、他の装置と通信を行うための第２の通信部とを有し、前記第１の通信部は、前記第１の記憶部に格納されているデータの少なくとも一部を前記第２の記憶部へ転送する。
【０００９】
また、実施形態によれば、通信方法は、第１の記憶部を有する表示装置と、前記第１の記憶部の容量よりも少ない容量である第２の記憶部を備える通話装置とを有する電子機器の通信方法であって、前記第１の記憶部に格納されているデータの少なくとも一部を前記第２の記憶部へ転送する。
【図面の簡単な説明】
【００１０】
【図１】本実施形態における通信システムの外観構成を示す図。
【図２】本実施形態におけるタッチパッド端末とハンドセット１２をクレードル１４から取り外した状態を示す図。
【図３】本実施形態におけるタッチパッド端末１０のシステム構成を示すブロック図。
【図４】本実施形態におけるハンドセット１２のシステム構成を示すブロック図。
【図５】本実施形態におけるクレードル１４のシステム構成を示すブロック図。
【図６】本実施形態におけるタッチパッド端末１０、ハンドセット１２、及びクレードル１４の接続関係を示す図。
【図７】本実施形態におけるクレードル１４を介した通信経路を説明するための図。
【図８】本実施形態における同期操作画面の例を示す図。
【図９】本実施形態における同期手順を示すフローチャート。
【発明を実施するための形態】
【００１１】
以下、図面を参照して、実施形態について説明する。
図１は、本実施形態における通信システムの外観構成を示す図である。図１に示す通信システムは、タッチパッド端末１０、ハンドセット１２、及びクレードル１４により構成されている。ハンドセット１２は、ハンドセット１２Ａと、ハンドセット１２Ｂと、ハンドセット１２Ｃとから構成される。ハンドセット１２Ａはクレードル１４に設けられ、ハンドセット１２Ｂはスタンド１６Ｂ、ハンドセット１６Ｃはスタンド１６Ｃにそれぞれ設けられる。以後、ハンドセット１２Ａ〜Ｃを分ける必要がない場合は、ハンドセット１２と総称して説明する。
【００１２】
タッチパッド端末１０とハンドセット１２Ａは、クレードル１４に着脱自在となっている。図１は、タッチパッド端末１０とハンドセット１２Ａとがクレードル１４に装着された状態を示している。
【００１３】
図２は、本実施形態におけるタッチパッド端末１０とハンドセット１２Ａをクレードル１４から取り外した状態を示している。図２に示すように、クレードル１４には、タッチパッド端末１０を装着するための装着部１４ａと、ハンドセット１２Ａを装着するための装着部１４ｂが形成されている。
【００１４】
装着部１４ａには傾斜面が形成されている。タッチパッド端末１０は、装着部１４ａの傾斜面に、背面を合わせるようにして設置される。装着部１４ａの底部には、タッチパッド端末１０がクレードル１４に装着された場合に、タッチパッド端末１０に設けられた電源端子（図示せず）と接続される電源コネクタ１５ａが設けられている。
【００１５】
同様にして、装着部１４ｂには、傾斜面が形成されている。ハンドセット１２Ａは、装着部１４ｂの傾斜面に、操作面（図２に示す面の反対側の面）を合わせるようにして設置される。装着部１４ｂの底部には、ハンドセット１２Ａがクレードル１４に装着された場合に、ハンドセット１２Ａに設けられた電源端子（図示せず）と接続される電源コネクタ１５ｂが設けられている。タッチパッド端末１０とハンドセット１２Aは、クレードル１４に設置することで、電源コネクタ１５ａ，１５ｂを介して電気的に接続され、充電することができる。
【００１６】
タッチパッド端末１０は、パーソナルコンピュータ相当の機能を備えており、ＯＳ（Operating System）やアプリケーションプログラム等をプロセッサにより実行することにより、各種の機能を実現することができる電子機器である。タッチパッド端末１０は、スタンドアロンで動作することができるだけでなく、クレードル１４を介して他の機器と接続することができる。また、タッチパッド端末１０は、電話機能が搭載された通信端末としても使用できる。タッチパッド端末１０は、音声通話をするためのスピーカやマイクが設けられる。タッチパッド端末１０は、複数種類の通信モジュールが実装され、それぞれの通信モジュールによりクレードル１４と無線通信することができる。例えば、タッチパッド端末１０は、無線ＬＡＮ（Local Area Network）用の無線ＬＡＮモジュールと、デジタルコードレス電話規格に準拠した無線通信をするデジタルコードレス電話モジュールを有する。無線ＬＡＮモジュールは、例えばＷｉ−Ｆｉ（登録商標）を利用したモジュールである。デジタルコードレス電話モジュールは、例えば、ＤＥＣＴ（Digital Enhanced Cordless Telecommunications）の規格に準拠したモジュールである。ＤＥＣＴの規格に従うデジタルコードレス電話モジュールは、１．９ＧＨｚの周波数帯を使用し、ＴＤＤ−ＴＤＭＡ（自立分散型マルチチャネルアクセス無線）の通信方式により無線通信をする。タッチパッド端末１０は、クレードル１４を経由して、ハンドセット１２と接続される。また、タッチパッド端末１０は、クレードル１４を経由して、インターネット等を含むデータ通信網や公衆電話回線網（ＰＳＴＮ：Public Switched Telephone Network）と接続される。
【００１７】
タッチパッド端末１０は、薄い箱型の筐体を有している。筐体の上面には、ほぼ中央に、タッチスクリーンディスプレイ１１が組み込まれている。タッチスクリーンディスプレイ１１は、例えばＬＣＤ１１Ｂの表面にタッチパネル１１Ａが装着されて構成されたもので、ＬＣＤ１１Ｂによる表示と、ペンや指先などによってタッチされたタッチ位置を検出できる。ユーザは、ＬＣＤ１１Ｂに表示された各種オブジェクトをペンや指先などを用いて選択することができる。ユーザによるタッチ操作の対象とするオブジェクトには、例えば、アプリケーションプログラムにより表示されるオブジェクト、各種情報を表示するためのウィンドウ、ソフトウェアキーボード、ソフトウェアタッチパッド、フォルダやファイルを表すアイコン、メニュー、ボタン等が含まれる。タッチパッド端末１０は、キーボードやマウス／タッチパッドなどの入力装置の代わりに、タッチスクリーンディスプレイ１１へのペンや指先などによるタッチ操作によりデータ入力するためのアプリケーションプログラムが実装されている。
【００１８】
また、タッチパッド端末１０は、筐体上面に、画像を撮影するカメラモジュール１２１が設けられている。また、図示していないが、パワーオンまたはパワーオフを指示するためのパワーボタンや各種のボタンやコネクタ等が設けられている。
【００１９】
ハンドセット１２は、電話機能が搭載された通信端末である。ハンドセット１２には、音声通話をするためのスピーカやマイクの他、ディスプレイや複数のボタンを含む入力デバイスが設けられている。ハンドセット１２は、デジタルコードレス電話規格に準拠した無線通信をするデジタルコードレス電話モジュールが設けられ、クレードル１４と無線通信することができる。デジタルコードレス電話規格は、例えば、ＤＥＣＴが用いられる。ハンドセット１２は、クレードル１４を経由して、公衆回線網（ＰＳＴＮ）と接続される。また、ハンドセット１２は、クレードル１４を介してタッチパッド端末１０と接続され、アドレス帳のデータなどをタッチパッド端末１０と同期させる機能を有している。
【００２０】
クレードル１４は、タッチパッド端末１０とハンドセット１２Aとを設置する台として使用される他、タッチパッド端末１０とハンドセット１２Aのアクセスポイントとして機能する。クレードル１４は、無線ＬＡＮ用の無線ＬＡＮモジュールと、デジタルコードレス電話規格に準拠した無線通信をするデジタルコードレス電話モジュールを有する。無線ＬＡＮは、例えばＷｉ−Ｆｉが用いられる。デジタルコードレス電話規格は、例えば、ＤＥＣＴが用いられる。クレードル１４は、タッチパッド端末１０と、無線ＬＡＮ用の無線ＬＡＮモジュールあるいはデジタルコードレス電話モジュールを介して無線通信をすることができる。また、クレードル１４は、ハンドセット１２Aと、デジタルコードレス電話モジュールを介して無線通信をすることができる。
【００２１】
クレードル１４は、外部電源と接続され、装着部１４ａ，１４ｂに設置されたタッチパッド端末１０とハンドセット１２Aに対して、外部電源からの電力を供給することができる。また、クレードル１４は、タッチパッド端末１０とハンドセット１２との間で、アドレス帳のデータなどを同期するためのデータ処理を仲介する機能を有する。また、クレードル１４は、タッチパッド端末１０とハンドセット１２を、データ通信網や公衆電話回線網（ＰＳＴＮ）と接続させる。
【００２２】
次に、スタンド１６に設けられるハンドセット１２Ｂの説明をする。ハンドセット１２Ｃはハンドセット１２Ｂと同じ構成であるので説明を省略する。図２に示すように、スタンド１６には、ハンドセット１２Ｂを装着するための装着部１６ａが設けられる。ハンドセット１２Ｂは、装着部１６ａの傾斜面に、操作面（図２に示す面の反対側の面）を合わせるようにして設置される。装着部１６ａの底部には、ハンドセット１２Ｂがスタンド１６に装着された場合に、ハンドセット１２Ｂに設けられた電源端子（図示せず）と接続される電源コネクタ１７ａが設けられている。ハンドセット１２Ｂは、スタンド１６に設置することで、電源コネクタ１７ａを介して電気的に接続され、充電することができる。
【００２３】
図３は、本実施形態におけるタッチパッド端末１０のシステム構成を示すブロック図である。
タッチパッド端末１０は、ＣＰＵ１１１、ノースブリッジ１１２、主メモリ１１３、グラフィクスコントローラ１１４、サウスブリッジ１１５、ＢＩＯＳ−ＲＯＭ１１６、ソリッドステートドライブ（ＳＳＤ）１１７、エンベデッドコントローラ１１８、無線ＬＡＮモジュール１１９、デジタルコードレス電話モジュール１２０、カメラモジュール１２１等を有している。
【００２４】
ＣＰＵ１１１は、タッチパッド端末１０の動作を制御するために設けられたプロセッサであり、ＳＳＤ１１７から主メモリ１１３にロードされる、オペレーティングシステム（ＯＳ）１９９、各種デバイスドライバ、及び各種アプリケーションプログラム等を実行する。デバイスドライバには、例えば、ＯＳ１９９の制御のもとで、タッチパネル１１Ａの駆動を制御するタッチパネルドライバ２０２、ＬＣＤ１１Ｂにおける表示を制御する表示ドライバ２０３が含まれる。アプリケーションプログラム２０４には、ガジェットアプリケーション（以下、単にガジェット）と称される予め決められた特定の処理を実行するアプリケーションの他、フォトフレームプログラム、ブラウザプログラム、文章作成プログラム等が含まれる。ガジェットは、一般には、時計や電卓、カレンダー、特定の目的をもった単機能のプログラムである。ガジェットのプログラムは、予めタッチパッド端末１０にインストールされていても良いし、ネットワークや外部記憶媒体を通じてインストールされても良い。
【００２５】
アプリケーションプログラムには、タッチパッド端末１０を用いて電話、ＦＡＸ、電子メール、テレビ電話等の機能を実行するためのプログラムが含まれる。また、アプリケーションプログラムには、タッチパッド端末１０とハンドセット１２とのアドレス帳の同期を取るための同期プログラム２００が含まれる。この同期プログラム２００については後で説明する。
【００２６】
また、ＣＰＵ１１１は、ＢＩＯＳ−ＲＯＭ１１６に格納されたシステムＢＩＯＳ（Basic Input Output System）も実行する。システムＢＩＯＳはハードウェア制御のためのプログラムである。
【００２７】
ノースブリッジ１１２は、ＣＰＵ１１１のローカルバスとサウスブリッジ１１５との間を接続するブリッジデバイスである。ノースブリッジ１１２には、主メモリ１１５をアクセス制御するメモリコントローラも内蔵されている。グラフィクスコントローラ１１４は、タッチパッド端末１０のディスプレイモニタとして使用されるＬＣＤ１１Ｂを制御する表示コントローラである。
【００２８】
主メモリ１１３は、ＯＳ１１９がロードされる他、アドレス帳２０６とコンフィギュレーションリスト２０７とを格納している。アドレス帳２０６は、ユーザが通信相手として登録しているメンバのリストである。コンフィギュレーションリスト２０７は、アドレス帳２０６に登録されているメンバ毎の詳細なデータの設定リストである。本実施の形態においては、アドレス帳２０６は、アドレス帳２０６Ａ〜Ｄに分けて登録され、コンフィギュレーションリスト２０７も、アドレス帳A~Dに対応してコンフィギュレーションリスト２０７Ａ〜Ｄに分けて登録されている。タッチパッド端末１０には、アドレス帳２０６Ａ〜Ｄ及びコンフィギュレーションリスト２０７Ａ〜Ｄ全てが格納されている。
【００２９】
グラフィクスコントローラ１１４は、ノースブリッジ１１２を介してＣＰＵ１１１から受信される描画要求に基づいてビデオメモリ（ＶＲＡＭ）に表示データを描画するための表示処理（グラフィクス演算処理）を実行する。ＬＣＤ１１Ｂの表示面には透明のタッチパネル１１Ａが配置されている。
【００３０】
タッチパネル１１Ａは、例えば、抵抗膜方式または静電容量方式等を用いて、タッチ検出面のタッチ位置を検出するように構成されている。タッチパネル１１Ａは、例えば、２点以上のタッチ位置を同時に検知可能なマルチタッチパネルが使用されるものとする。タッチパネル１１Ａは、ユーザによるタッチ操作により検出したデータをサウスブリッジ１１５に出力する。サウスブリッジ１１５は、タッチパネル１１Ａからのデータを入力し、ノースブリッジ１１２を介して主メモリ１１３に記録する。
【００３１】
サウスブリッジ１１５は、ＳＳＤ１１７を制御するためのコントローラ等を内蔵している。また、サウスブリッジ１１５には、エンベデッドコントローラ（ＥＣ）１１８、無線ＬＡＮモジュール１１９、デジタルコードレス電話モジュール１２０、カメラモジュール１２１、サウンドコントローラ（コーデック）１２２等が接続される。
【００３２】
ＥＣ１１８は、ユーザによるパワーボタン１２３の操作に応じてタッチパッド端末１０をパワーオン／パワーオフする機能を有している。
無線ＬＡＮモジュール１１９は、例えば、Ｗｉ−Ｆｉ（登録商標）を利用したモジュールであり、クレードル１４との無線通信を制御する。
デジタルコードレス電話モジュール１２０は、例えば、ＤＥＣＴの規格に準拠したモジュールであり、クレードル１４との無線通信を制御する。
カメラモジュール１２１は、ＣＰＵ１１１の制御のもとで画像を撮影して画像データを入力する。カメラモジュール１２１は、静止画像だけでなく動画像を撮影することもできる。
【００３３】
サウンドコントローラ１２２は、音声通話のための音声信号処理をするもので、ＣＰＵ１１１からのオーディオデータを復号してアナログオーディオ信号をスピーカ１２２ａに出力し、マイク１２２ｂから入力されたアナログオーディオ信号を符号化してオーディオデータをＣＰＵ１１１に出力する。
【００３４】
電源回路１２４は、タッチパッド端末１０のパワーオン／パワーオフの制御をＥＣ１１８と共同して制御する。また、電源回路１２４は、タッチパッド端末１０に実装されたバッテリ１２５からの電力、タッチパッド端末１０に設けられた外部電源端子（図示せず）に接続されるＡＣアダプタ（外部電源）からの電力からの電力を用いて、各モジュールへの動作電源を生成して供給する。また、電源回路１２４は、タッチパッド端末１０がクレードル１４に設置された際に、電源端子１２６を介してクレードル１４から供給される電力をバッテリ１２５に充電する。
【００３５】
図４は、本実施形態におけるハンドセット１２のシステム構成を示すブロック図である。ここでは、ハンドセット１２の一例としてクレードル１４に設けられるハンドセットAの構成を例に説明する。ハンドセットBおよびCは、ハンドセットAと同様の機能を有するため説明を省略する。
【００３６】
ハンドセット１２は、ＣＰＵ１３１、メモリ１３３、電源回路１３４、バッテリ１３５、電源端子１３６、サウンドコントローラ（コーデック）１３７、スピーカ１３８、マイク１３９、ディスプレイ１４０、入力デバイス１４１を有している。
【００３７】
ＣＰＵ１３１は、ハンドセット１２の動作を制御するためのプロセッサである。ＣＰＵ１３１は、デジタルコードレス電話モジュール１３２が実装されている。デジタルコードレス電話モジュール１３２は、例えば、ＤＥＣＴの規格に準拠したモジュールであり、クレードル１４との無線通信を制御する。
【００３８】
メモリ１３３は、各種プログラムやデータを記憶する。メモリ１３３の容量は、タッチパッド端末１０に備えられる主メモリ１１３の容量よりも小さい。本実施の形態において、主メモリ１１３に格納されているアドレス帳２０６Ａ〜Ｄの全てのメンバの件数が１００件であり、メモリ１３３に格納可能なメンバの件数は５０件である。即ち、メモリ１３３にアドレス帳２０６Ａ〜Ｄの全てを格納することは不可能である。従って、アドレス帳２０６Ａ〜Ｄの内、ハンドセット１２でタッチパッド端末１０と同期をとるアドレス帳を選択する必要がある。ここで同期とは、タッチパッド端末１０の主メモリ１１３に格納されているアドレス帳２０６A~Dのデータをハンドセット１２へ転送し、ハンドセット１２に設けられるメモリ１３３に格納することである。従って、タッチパッド端末１０側でユーザがアドレス帳の更新（メンバの追加や削除、メンバ情報の修正）を行った場合、ハンドセット１２に格納するアドレス帳２０６を更新されたものに置き換える。この同期方法については後述する。
【００３９】
図４においては、メモリ１３３には上述したようにアドレス帳A〜Dの全てを格納することは出来ないので、ハンドセット１２Aにはアドレス帳２０６Aが同期されていることを示している。本実施の形態においては、ハンドセット１２Bにはアドレス帳２０６B、ハンドセット１２Cにはアドレス帳２０６Cがそれぞれ同期されている。
【００４０】
電源回路１３４は、バッテリ１３５からの電力を用いて、ハンドセット１２の各コンポーネントへの動作電源を生成して供給する。電源回路１３４は、ハンドセット１２がクレードル１４に装着された際に、電源端子１３６を介してクレードル１４から供給される電力をバッテリ１３５に充電する。
【００４１】
サウンドコントローラ（コーデック）１３７は、音声通話のための音声信号処理をするもので、ＣＰＵ１３１からのオーディオデータを復号してアナログオーディオ信号をスピーカ１３８に出力し、マイク１３９から入力されたアナログオーディオ信号を符号化してオーディオデータをＣＰＵ１３１に出力する。
【００４２】
ディスプレイユニット１４０は、ＣＰＵ１３１の制御のもとで、例えばＬＣＤ（Liquid Crystal Display）により各種情報を表示する。
入力デバイス１４１は、ユーザ操作を受け付けるためのデバイスであり複数のボタンを含んでいる。複数のボタンには、例えば、ダイヤルボタン（文字ボタン）と、複数の機能ボタンを含んでいる。機能ボタンには、例えば送信ボタン、終了ボタン、電源ボタン、音量調節ボタン、及びカーソルボタンなどがある。
【００４３】
図５は、本実施形態におけるクレードル１４のシステム構成を示すブロック図である。
クレードル１４は、ＣＰＵ１５１、ノースブリッジ１５２、メモリ１５３、サウスブリッジ１５５、フラッシュＲＯＭ１５６、無線ＬＡＮモジュール１５７、デジタルコードレス電話モジュール１５８、ＬＡＮインタフェース１５９、結合インタフェース（ＤＡＡ：Direct Access Arrangements）１６０、電源回路１６１等を有している。
【００４４】
ＣＰＵ１５１は、クレードル１４の動作を制御するために設けられたプロセッサであり、メモリ１５３にロードされたプログラムを実行する。ＣＰＵ１５１は、プログラムを実行することにより、タッチパッド端末１０とハンドセット１２のアクセスポイントとして動作し、またタッチパッド端末１０とハンドセット１２との間で協同して実行される処理（データ同期など）を仲介するための処理を実行する。
【００４５】
ノースブリッジ１５２は、ＣＰＵ１５１のローカルバスとサウスブリッジ１５５との間を接続するブリッジデバイスである。
サウスブリッジ１５５は、各モジュールとノースブリッジ１５２とを接続する。
フラッシュＲＯＭ１５６は、プログラムやデータを記憶する。
無線ＬＡＮモジュール１５７は、例えば、Ｗｉ−Ｆｉ（登録商標）を利用したモジュールであり、タッチパッド端末１０との無線通信を制御する。
デジタルコードレス電話モジュール１５８は、例えば、ＤＥＣＴの規格に準拠したモジュールであり、タッチパッド端末１０及びハンドセット１２との無線通信を制御する。
【００４６】
ＬＡＮインタフェース１５９は、無線ＬＡＮモジュール１５７とＬＡＮケーブル１５とを接続するためのインタフェースである。ＬＡＮインタフェース１５９は、ＲＪ−４５（コネクタ）１５９によりＬＡＮケーブル１５が接続される。
【００４７】
結合インタフェース１６０は、デジタルコードレス電話モジュール１５８と電話ケーブル１６とを接続するためのインタフェースである。結合インタフェース１６０は、ＲＪ−１１（コネクタ）１６０により電話ケーブル１６が接続される。
【００４８】
電源回路１６１は、外部電源（図示せず）と接続され、各モジュールへの動作電源を生成して供給する。また、電源回路１６１は、タッチパッド端末１０がクレードル１４に設置された際に、電源コネクタ１５ａを介してタッチパッド端末１０に電力を供給する。また、電源回路１６１は、ハンドセット１２がクレードル１４に設置された際に、電源コネクタ１５ｂを介してハンドセット１２に電力を供給する。
【００４９】
図６は、本実施形態におけるタッチパッド端末１０、ハンドセット１２Ａ〜Ｃ、及びクレードル１４の接続関係を示す図である。
図６に示すように、ハンドセット１２Ａ〜Ｃとクレードル１４とは、デジタルコードレス電話規格に準拠した無線通信（Ｒ１)によりそれぞれ接続される。タッチパッド端末１０とクレードル１４とは、デジタルコードレス電話規格に準拠した無線通信（Ｒ２)と無線ＬＡＮによる無線通信（Ｒ３）により接続される。
【００５０】
クレードル１４に接続されたＬＡＮケーブル１５と電話ケーブル１６は、ブロードバンドルータ１７と接続される。ブロードバンドルータ１７は、データ通信網（インターネット等を含む）と接続するためのケーブル（例えば光ケーブル）と、公衆電話回線網（ＰＳＴＮ）と接続するための電話ケーブル１９とが接続されている。従って、クレードル１４は、ブロードバンドルータ１７を介して、外部ネットワーク（データ通信網、公衆回線網）と接続される。
【００５１】
図６に示すように本実施の形態においては、タッチパッド端末１０にはアドレス帳２０６Ａ〜Ｄ、ハンドセット１２Ａにはアドレス帳２０６Ａ、ハンドセット１２Ｂにはアドレス帳２０６Ｂ、ハンドセット１２Ｃにはアドレス帳２０６Ｃ、がそれぞれ格納されているとする。ハンドセット１２Ａ〜Ｃに格納されるアドレス帳２０６Ａ〜Ｃは、タッチパッド端末１０に格納されているアドレス帳２０６Ａ〜Ｄと同期している。ハンドセット１２のメモリ１３３に空き容量がある場合には、アドレス帳２０６Ａ〜Ｄの内、複数を同期するとしても良い。
【００５２】
図７は、本実施形態におけるクレードル１４を介した通信経路を説明するための図である。
図７に示すように、通信経路Ｓ１は、タッチパッド端末１０とクレードル１４とが無線ＬＡＮ（無線通信Ｒ３）により接続され、クレードル１４がＬＡＮケーブル１５を介してデータ通信網と接続される経路である。通信経路Ｓ２は、タッチパッド端末１０とクレードル１４とが無線ＬＡＮ（無線通信Ｒ３）により接続され、ハンドセット１２とクレードル１４とが無線通信Ｒ１により接続されることにより、タッチパッド端末１０とハンドセット１２とが接続される経路である。通信経路Ｓ３は、タッチパッド端末１０とクレードル１４とが無線通信Ｒ２により接続され、クレードル１４が電話ケーブル１６を介して公衆回線網と接続される経路である。通信経路Ｓ４は、タッチパッド端末１０とクレードル１４とが無線通信Ｒ２により接続され、ハンドセット１２とクレードル１４とが無線通信Ｒ１により接続されることにより、タッチパッド端末１０とハンドセット１２とが接続される経路である。通信経路Ｓ５は、ハンドセット１２がクレードル１４と無線通信Ｒ１により接続され、クレードル１４がＬＡＮケーブル１５を介してデータ通信網と接続される経路である。通信経路Ｓ６は、ハンドセット１２がクレードル１４と無線通信Ｒ１により接続され、クレードル１４が電話ケーブル１６を介して公衆回線網と接続される経路である。
【００５３】
通信経路Ｓ１〜Ｓ６は、タッチパッド端末１０とハンドセット１２により実行される処理（プログラム）に応じて何れかが使用される。同期プログラム２００が実行されると、通信経路Ｓ２を使用して、タッチパッド端末１０とハンドセット１２とを接続し、アドレス帳２０６の同期が実行される。
【００５４】
図８は、本実施形態におけるタッチパッド端末１０のＬＣＤ１１Ｂに表示する同期操作画面３００の例を示す図である。
図８に示すように、同期操作画面３００には、タッチパッド端末１０とアドレス帳２０６の同期を行うハンドセット１２の選択を行うボタン３０１と、同期するアドレス帳２０６を選択するボタン３０２Ａ〜Ｄと、同期を行うことを選択するボタン３０３と、同期を行わないことを選択するボタン３０４と、同期を自動で行うことを選択するボタン３０５と、同期を自動で行う場合の時間間隔を選択するプルダウンボタン３０６と、同期を手動で行うことを選択するボタン３０７と、同期を指示するボタン３０８とを有する。
【００５５】
まず、同期を行うハンドセット１２の選択を行うボタン３０１により、タッチパッド端末１０に記憶しているアドレス帳２０６と同期を行うハンドセット１２を選択する。同期するアドレス帳２０６Ａ〜Ｄを選択するボタン３０２Ａ〜Ｄは、それぞれアドレス帳２０６Ａ〜Ｄに対応している。ユーザがボタン３０２Ａ〜Ｄの何れかを選択すると、選択したボタン３０２に対応するアドレス帳２０６をタッチパッド端末１０とボタン３０１で選択されたハンドセット１２間で同期される。
【００５６】
ハンドセット１２のメモリ１３３で設定されている容量内のアドレス帳２０６であれば同期を行い、容量以上のものである場合には同期されない。また、メモリ１３３の容量内であればアドレス帳２０６Ａ〜Ｄの中から複数のアドレス帳を選択して同期を行うことも可能である。
【００５７】
また、同期操作画面３００においては、同期を行うことを選択するボタン３０３と、同期を行わないことを選択するボタン３０４とを選択可能である。同期を行うことを選択するボタン３０３を選択した場合、同期を自動で行うことを選択するボタン３０５と、同期を手動で行うことを選択するボタン３０７とが選択可能である。同期を自動で行うことを選択するボタン３０５が選択された場合、時間間隔を選択するプルダウンボタン３０６が操作可能となる。例えば、１０分おき若しくは３０分おきに自動的にアドレス帳２０６の同期を行うことが設定できる。また、同期を手動で行うことを選択するボタン３０７が選択された場合、同期を指示するボタン３０８が選択された時に、タッチパッド端末１０とハンドセット１２との間でアドレス帳２０６の同期を行う。
【００５８】
図９は、本実施形態における同期手順を示すフローチャートである。以下の手順は、
ＣＰＵ１１１が同期プログラム２００を実行することで実現される。
まず、ＣＰＵ１１１は、同期操作画面３００において同期を行うと設定されたか否かを判別する（ステップＳ１０１）。ステップＳ１０１で判別した結果、同期を行うと設定されていないと判別した場合（ステップＳ１０１のＮｏ）、本手順を終了する。一方、ステップＳ１０１で判別した結果、同期を行うと設定されていると判別した場合（ステップＳ１０１のＹｅｓ）、同期を行うハンドセット１２の選択を行う（ステップＳ１０２）。次に、同期を行うアドレス帳２０６の選択を行う（ステップＳ１０３）。アドレス帳２０６に登録されているメンバの件数が少ない場合や、ハンドセット１２のメモリ１３３の容量に空きがある場合など、アドレス帳２０６A~Dの中から複数を選択可能である場合には、複数を選択するとしても良い。
【００５９】
次に、ＣＰＵ１１１は、同期を自動で行うと設定されているか否かを判別する（ステップＳ１０４）。ステップＳ１０４で判別した結果、自動で同期を行うと設定されている場合（ステップＳ１０４のＹｅｓ）、設定された所定時間が経過したか否かを判別する（ステップＳ１０５）。所定時間が経過していないと判別した場合（ステップＳ１０５のＮｏ）、ステップＳ１０５に戻る。一方、ステップＳ１０５で判別した結果、所定時間が経過したと判別した場合（ステップＳ１０５のＹｅｓ）、アドレス帳２０６の同期を行う（ステップＳ１０７）。
【００６０】
一方、ステップＳ１０４で判別した結果、自動で同期を行うと設定されていないと判別した場合（ステップＳ１０４のＮｏ）、即ち同期を手動で行う場合には、同期指示を受信したか否か判別する（ステップＳ１０６）。ステップＳ１０６で判別した結果、同期指示を受信していない判別した場合（ステップＳ１０６のＮｏ）、即ち手動で同期を行うが同期の実行を指示するボタンが押下されていない場合には、ステップＳ１０６に戻る。一方、同期指示を受信したと判別した場合（ステップＳ１０６のＹｅｓ）、ステップＳ１０７に進む。以上で、本同期手順を終了する。
【００６１】
尚、図１に示すシステムに設けられたタッチパッド端末１０（電子機器）においてアドレス帳を同期する場合を例にしているが、他の電子機器、例えばパーソナルコンピュータ、携帯電話機、カーナビゲーションシステムなどにおいて実現することも可能である。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６３】
また、前述した実施の形態において記載した処理は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。コンピュータは、記録媒体に記録されたプログラムを読み込み、または通信媒体を介してプログラムを受信し、このプログラムによって動作が制御されることにより、上述した処理を実行する。
【符号の説明】
【００６４】
１０…タッチパッド端末、１２Ａ〜Ｃ…ハンドセット、１４…クレードル、１１９，１５７…無線ＬＡＮモジュール、１２０，１３２，１５８…デジタルコードレス電話モジュール、２００…同期プログラム。
【図１】
2012156815.tif 000003
【図２】
2012156815.tif 000004
【図３】
2012156815.tif 000005
【図４】
2012156815.tif 000006
【図５】
2012156815.tif 000007
【図６】
2012156815.tif 000008
【図７】
2012156815.tif 000009
【図８】
2012156815.tif 000010
【図９】
2012156815.tif 000011